(57)【特許請求の範囲】
【請求項１】
相手部材に固設される支持フレ−ムと、該支持フレームに略垂直状態に支持された雪庇防止板と、傾斜角度が変位可能な風雪ガイド板を有し、該雪庇防止板から後方に離間して前記支持フレ−ムに設けられた風雪ガイド機構とから構成してなる雪庇防止装置において、前記雪庇防止板は、前記支持フレ−ムに起伏可能に支持してあることを特徴とする雪庇防止装置。
【請求項２】
相手部材に固設される支持フレ−ムと、該支持フレームに略垂直状態に支持された雪庇防止板と、傾斜角度が変位可能な風雪ガイド板を有し、該雪庇防止板から後方に離間して前記支持フレ−ムに設けられた風雪ガイド機構とから構成してなる雪庇防止装置において、前記雪庇防止板は、前面に複数の凹凸部が縦方向に形成してあることを特徴とする雪庇防止装置。
【請求項３】
相手部材に固設される支持フレ−ムと、該支持フレームに略垂直状態に支持された雪庇防止板と、傾斜角度が変位可能な風雪ガイド板を有し、該雪庇防止板から後方に離間して前記支持フレ−ムに設けられた風雪ガイド機構とから構成してなる雪庇防止装置において、前記雪庇防止板は、複数のスリットが縦方向に形成してあることを特徴とする雪庇防止装置。
【請求項４】
前記風雪ガイド機構は、前記支持フレームに前後方向に変位可能に設けてあることを特徴とする請求項１、２又は３のいずれかに記載の雪庇防止装置。
【請求項５】
前記風雪ガイド機構は、前記風雪ガイド板の下方に位置して下部風雪ガイド板を設けてあることを特徴とする請求項４記載の雪庇防止装置。
【請求項６】
前記風雪ガイド機構は、前記風雪ガイド板の傾斜角度を変位可能に構成してあることを特徴とする請求項４記載の雪庇防止装置。
【請求項７】
前記風雪ガイド機構は、折畳み可能に構成してあることを特徴とする請求項４、５又は６のいずれかに記載の雪庇防止装置。
【発明の詳細な説明】
【０００１】
【発明の属する技術分野】
本発明は、冬季の積雪や吹雪によりトンネル、覆道、随道、スノーシェルタ等の構造物の抗口端部に雪庇が形成されるのを防止するための雪庇防止装置に関する。
【０００２】
【従来の技術】
雪庇防止装置は覆道、随道、スノーシェルタ等の構造物に雪庇が形成されるのを防止するためのもので、交通の安全を確保する上で重要であることから種々の提案がなされている。例えば特開平４−３５３１０６号公報には、トンネル、覆道、擁壁、シェルタ−抗口等の構造物上部に密着状態あるいは所定間隔をもって設置された適数個の雪庇防止板から構成され、雪庇防止板は、フレ−ムと、このフレ−ムの張設された表面板とから構成され、フレ−ムは、金属や樹脂等を素材にしたアングル材等に傾斜を持たせた左右の前面傾斜材の後端に垂下連結した縦材と、前面傾斜材の下端と縦材とを連結する下部材とでなる左右枠と、左右枠を並立状態で連結する連結材によって構成され、表面板は、金属や樹脂等を素材として構成され、フレ−ムにおける前面傾斜材の前面に張設されていることを特徴とする雪庇防止装置、が開示されている。
【０００３】
また、実用新案登録第３００３１１２号公報には、少なくとも固定用下部材及び該固定用下部材に立設した前支持部材からなる支持フレームと、該支持フレームの前側に着設した平板からなる雪庇防止板と、該雪庇防止板から後部上方に離間した状態で前記支持フレームに支持され、該雪庇防止板に対して４５〜６０度の角度で上向きに傾斜した風雪ガイド板とから雪庇防止体を構成し、前記雪庇防止板を垂直の状態にして複数の該雪庇防止体を所定間隔離間して横方向に互いに連結させて列設したことを特徴とする雪庇防止装置、が開示されている。
【０００４】
【発明が解決しようとする課題】
上述した従来技術は相応の雪庇防止効果を奏しているが、雪庇防止板及び風雪ガイド板は固定した構成になっているため、雪庇防止装置を設置する場所の地形と時期による風向きや降雪量の変化に対応することができないという欠点や、雪庇防止板は通年起立した状態になっているために季節によっては風が抜ける障害になったり冬期以外の季節には周囲の景観を損なうという問題もある。
【０００５】
本発明は上述した従来技術の欠点に鑑みなされたもので、設置場所の地形や季節によって変化する風向きや降雪量に対応した雪庇防止効果を発揮することができるし、景観を損なうことも解消できる雪庇防止装置を提供することを目的とする。
【０００６】
【課題を解決するための手段】
上述した課題を解決するために構成された請求項１に係る本発明の手段は、相手部材に固設される支持フレ−ムと、該支持フレームに略垂直状態に支持された雪庇防止板と、傾斜角度が変位可能な風雪ガイド板を有し、該雪庇防止板から後方に離間して前記支持フレ−ムに設けられた風雪ガイド機構とから構成してなる雪庇防止装置において、前記雪庇防止板は、前記支持フレ−ムに起伏可能に支持したことにある。
【０００７】
また、請求項２に係る本発明を構成する手段は、相手部材に固設される支持フレ−ムと、該支持フレームに略垂直状態に支持された雪庇防止板と、傾斜角度が変位可能な風雪ガイド板を有し、該雪庇防止板から後方に離間して前記支持フレ−ムに設けられた風雪ガイド機構とから構成してなる雪庇防止装置において、前記雪庇防止板は、前面に複数の凹凸部が縦方向に形成したことにある。
【０００８】
更に、請求項３に係る本発明を構成する手段は、相手部材に固設される支持フレ−ムと、該支持フレームに略垂直状態に支持された雪庇防止板と、傾斜角度が変位可能な風雪ガイド板を有し、該雪庇防止板から後方に離間して前記支持フレ−ムに設けられた風雪ガイド機構とから構成してなる雪庇防止装置において、前記雪庇防止板は、複数のスリットを縦方向に形成したことにある。
【０００９】
そして、前記風雪ガイド機構は、前記支持フレームに前後方向に変位可能に設けるとよい。
【００１０】
また、前記風雪ガイド機構は、前記風雪ガイド板の下方に位置して下部風雪ガイド板を設けた構成にするとよい。
【００１１】
更に、前記風雪ガイド機構は、前記風雪ガイド板の傾斜角度を変位可能に構成するとよい。
【００１２】
更にまた、前記風雪ガイド機構は、折畳み可能に構成するとよい。
【００１３】
【発明の実施の形態】
以下、本発明の実施の形態を図面に基づき詳述する。図において、１は雪庇防止装置、２は該雪庇防止装置１を構成する支持フレ−ムを示し、該支持フレーム２はみぞ形鋼材からなり、長手方向に離間して側面部３Ａに複数のボルト穴３Ｂ、３Ｂ、・・が穿設してある一対の固定用支持材３、３と、該一対の固定用支持材３、３の長手方向前端側３Ｃに固着した支持プレート４に矢示イ方向に回動可能に軸支され、該支持プレート４に連結ピン５で固定されることにより略垂直に起立する左右一対の前側支持材６、６とから構成してある。そして、上述の構成からなる支持フレーム２は相手部材であるトンネル等の構造物Ａの坑口端上に植設した取付ボルト７、７、７により締着するようになっている。
【００１４】
８は前記一対の前側支持材６、６に架設した金属製平板からなる雪庇防止板で、該雪庇防止板８の前面８Ａには、図１に示すように幅方向に間隔を存して３本の縦リブ８Ｂ、８Ｂ、８Ｂが突設してあり、雪庇防止板８に付着した雪が帯状に分断されて速やかに落下する構成にしてある。
【００１５】
更に、９は前記雪庇防止板８から後方に離間して支持フレ−ム２に設けた風雪ガイド機構を示す。１０、１０は該風雪ガイド機構９を構成する一対の可動支持体で、該各可動支持体１０は前後方向に離間して２個１組の連結穴１０Ａ1 、１０Ａ1 、１０Ａ2 、１０Ａ2 が穿設された金属板からなる可動支持板１０Ａと、該可動支持板１０Ａに支持ピン１０Ｂを介して矢示ロ方向に回動可能に連結された角筒状鋼材からなる支持柱１０Ｃと、前後方向に離間して３個１組の前傾用穴１０Ｄ1 、１０Ｄ2 、１０Ｄ3 と後傾用穴１０Ｄ4 、１０Ｄ5 、１０Ｄ6 を穿設した金属板からなり、支持柱１０Ｃの上部側に固着した上部傾斜設定板１０Ｄと、後傾用穴１０Ｅ1 、１０Ｅ2 、１０Ｅ3 を穿設した金属板からなり、支持柱１０Ｃの途中に固着した下部傾斜設定板１０Ｅとから構成してある。
【００１６】
そして、上述の構成からなる各可動支持体１０は矢示ハ、ニ方向の前後方向の適宜の位置で連結穴１０Ａ1 、１０Ａ1 、１０Ａ2 、１０Ａ2 と固定用支持材の適宜のボルト穴３Ｂ、３Ｂ、・・・に図示しない固定ボルトを挿着することにより、支持フレーム２に前後方向の位置を選択して固定することができる。
【００１７】
１１は前記可動支持体１０、１０に支持された金属製平板からなる上部風雪ガイド板で、該上部風雪ガイド板１１の前面１１Ａには雪庇防止板８と同様に幅方向に間隔を存して３本の縦リブ１１Ｂ、１１Ｂ、１１Ｂが突設してあり、上部風雪ガイド板１１に付着した雪が帯状に分断されて速やかに落下するようにしてある。そして、上述の構成からなる上部風雪ガイド板１１は各下端側が上部傾斜設定板１０Ｄに軸支された一対のアーム１２、１２間に架設されて矢示ホ、へ方向に回動可能になっており、該一対のアーム１２、１２は前傾用穴１０Ｄ1 （１０Ｄ2 、１０Ｄ3 ）又は後傾用穴１０Ｄ4 （１０Ｄ5 、１０Ｄ6 ）に選択的に挿入される連結ピン１３によって上部風雪ガイド板１１の傾斜姿勢を選択できるようになっている。
【００１８】
また、１４は前記上部風雪ガイド板１１の下方に位置して一対の可動支持体１０、１０に支持された金属製平板からなる下部風雪ガイド板を示し、該下部風雪ガイド板１４の前面１４Ａにも複数の縦リブ１４Ｂ、１４Ｂ、１４Ｂが突設してある。そして、該下部風雪ガイド板１４は各下端側が下部傾斜設定板１０Ｅに軸支された一対のアーム１５、１５間に架設されて矢示ト、チ方向に回動可能になっており、該一対のアーム１５、１５は下部傾斜設定板１０Ｅの後傾用穴１０Ｅ1 （１０Ｅ2 、１０Ｅ3 ）に選択的に挿入される連結ピン１６によって下部風雪ガイド板１４の傾斜姿勢を選択できるようになっている。
【００１９】
本実施の形態に係る雪庇防止装置１は上述の構成からなっており、トンネル、覆道、随道、スノーシェルタ等の構造物Ａの抗口端部に沿って横方向に複数個列設することにより設置する。そして、設置場所の地形や気象状況により風雪量が多い場合には、雪庇防止板８に対して風雪ガイド機構９を後退させて配置し、雪庇防止板８との間に広い間隔を形成する。これによりに下部風雪ガイド板１２の裏側に高い雪山が形成されて雪庇になるのを防止することができる。
【００２０】
また、降雪量が比較的多くない設置場所では、雪庇防止板８に対して風雪ガイド機構９を接近させて配置し、風雪ガイド板１１、１４によって雪庇防止板８の裏側に風を誘導することにより、雪を飛ばして雪山の形成を防止することができる。この場合、地形等によって異なる風の向きに応じて図４及び図５に示すように風雪ガイド板１１、１４の傾斜角度を変更することにより、吹き込む雪を効果的に吹き飛ばすことができる。
【００２１】
また、冬期以外の雪庇防止装置１を使用しない季節には、図６に示すように雪庇防止板８を矢示イ方向に倒伏させた状態にし、風雪ガイド機構９も矢示ロ方向に倒伏させた状態にすることにより、構造物Ａの抗口端部での風の通りを良くし、風が舞う現象を防止できる。
【００２２】
なお、本実施の形態では雪庇防止板８に複数の縦リブ８Ｂ、８Ｂ、８Ｂを設けたが、図７に示すように防止板本体２１Ａに複数のリブ２１Ｂ、２１Ｂ、２１Ｂを屈曲形成した雪庇防止板２１、図８に示すように防止板本体２２Ａに複数の縦溝２２Ｂ、２２Ｂ、２２Ｂを形成した雪庇防止板２２、図９に示すように防止板本体２３Ａを屈曲形成することにより多数の凹凸２３Ｂ、２３Ｂ、・・・、２３Ｃ、２３Ｃ、・・・を形成し、裏面に取付材２３Ｄを設けた雪庇防止板２３、図１０に示すように複数枚の帯状の防止板本体２４Ａ、２４Ａ、・・を端部を重畳させて連結することにより縦方向段部２４Ｂ、２４Ｂ、２４Ｂを形成した雪庇防止板２４、更に図１１に示すように複数枚の帯状の防止板本体２５Ａ、２５Ａ、・・を間隔を置いて連結板２４Ｂに列設することにより複数のスリット２５Ｃ、２５Ｃ、２５Ｃを形成した雪庇防止板２５を用いてもよい。
【００２３】
【発明の効果】
本発明は以上詳述した如く構成したから、下記の諸効果を奏する。
（１）雪庇防止板は支持フレ−ムに起伏可能に支持した構成にしたから、冬期以外の季節には倒伏させることにより、構造物の抗口端部での風の通りを良くすることができる。
（２）雪庇防止板は前面に複数の凹凸部を縦方向に形成するか、スリット状開口を縦方向に形成したから、雪庇防止板に付着する雪を早期に剥離させて落下させることができる。
（３）風雪ガイド機構は、雪庇防止板に対して前後方向に変位可能に設けた構成にしたから、設置場所における降雪量の多寡に応じて雪庇防止板と風雪ガイド機構との間隔を調整することができる。
（４）風雪ガイド機構には、風雪ガイド板の下方に位置して下部風雪ガイド板を設けた構成にしたから、風を確実に誘導することができる。
（５）雪庇防止板から後方に離間して配設した風雪ガイド機構は風雪ガイド板の傾斜角度を変位可能に構成したから、設置後において現場における風の強さや方向に対応して傾斜角度を調整することにより、風の集約や雪の吹き払い効果を高めることが可能になり、雪庇防止効果を高めることができる。
（６）風雪ガイド機構は折畳み可能に構成したから、冬期以外の時期には折畳むことにより、構造物の抗口端部での風の通りを良くすることができるし、景観を損なうことがない。
【図面の簡単な説明】
【図１】本発明の実施の形態に係る雪庇防止装置の外観斜視図である。
【図２】雪庇防止装置の縦断面図である。
【図３】風雪ガイド機構の前後方向の変位を示す説明図である。
【図４】上部風雪ガイド板及び下部風雪ガイド板を起立させた状態の説明図である。
【図５】上部風雪ガイド板は前傾させ、下部風雪ガイド板は転倒させた状態の説明図である。
【図６】雪庇防止板及び風雪ガイド機構を倒伏させた状態の説明図である。
【図７】第１の変形例に係る雪庇防止板の横断面図である。
【図８】第２の変形例に係る雪庇防止板の横断面図である。
【図９】第３の変形例に係る雪庇防止板の横断面図である。
【図１０】第４の変形例に係る雪庇防止板の横断面図である。
【図１１】第５の変形例に係る雪庇防止板の横断面図である。
【符号の説明】
２          支持フレーム
８          雪庇防止板
８Ｂ        縦リブ（凹凸部）
９          風雪ガイド機構
１１        上部風雪ガイド板
１４        下部風雪ガイド板
２５Ｃ      スリット
Ａ          構造物（相手部材）
【図１】
0003613729.tif 000002
【図２】
0003613729.tif 000003
【図３】
0003613729.tif 000004
【図４】
0003613729.tif 000005
【図５】
0003613729.tif 000006
【図６】
0003613729.tif 000007
【図７】
0003613729.tif 000008
【図８】
0003613729.tif 000009
【図９】
0003613729.tif 000010
【図１０】
0003613729.tif 000011
【図１１】
0003613729.tif 000012